(57)【要約】本発明は、学生、生徒等用の制服着用において、無用な重ね着や外套着用を防止して服装の乱れを防止し、かつ充分な防寒対策とすることのできるインナー付き制服および制服用インナーである。上半身に着用するための制服の裏側（１Ｂ）に、着脱手段（３）により着脱可能なインナー（５）が設けられているインナー付き制服（１０）を構成する。インナー（５）には防寒機能を発揮する適宜の材質、製法が用いられる。着脱手段（３）としては、ジッパー構造やボタンとボタン穴を用いることができる。男子用詰襟学生服、ブレザー、女子用セーラー、イートン、ブレザー、ベスト、その他あらゆる種類の制服に適用することができる。
2004049845.tif 000002
【特許請求の範囲】
【請求項１】
上半身に着用するための制服の裏側に、着脱手段により着脱可能なインナーが設けられていることを特徴とする、インナー付き制服。
【請求項２】
前記インナーには、前記制服の裏側に設けられる内ポケットに手を入れることができるように、該内ポケットの位置に合わせて一または複数の開口部が設けられていることを特徴とする、請求項１に記載のインナー付制服。
【請求項３】
前記インナー表側の前記開口部下部には、ポケットが設けられていることを特徴とする、請求項２に記載のインナー付制服。
【請求項４】
前記着脱手段は、前記インナーと前記制服との間に入り込んだ物品が該制服から落下しないように、該インナーの下縁部が密着するように該制服に装着されてポケット様の構造を構成できることを特徴とする、請求項１に記載のインナー付制服。
【請求項５】
前記着脱手段は、インナー側部位および制服側部位とからなっており、ジッパー、ボタンならびにボタン穴、またはマジックテープ（登録商標）等の鈎状構造ならびにこれが係止される構造とを備えてなる帯状接着手段のいずれかであることを特徴とする、請求項１ないし４のいずれかに記載のインナー付制服。
【請求項６】
前記着脱手段はインナー側部位および制服側部位とからなっているジッパーであり、その着脱を該ジッパーの両端部のいずれからでも行うことができることを特徴とする、請求項１ないし４のいずれかに記載のインナー付制服。
【請求項７】
上半身に着用するための制服の裏側に、着脱手段により着脱可能なインナーが設けられており、該制服は、学生、生徒、または学童用の制服であることを特徴とする、請求項１ないし６のいずれかに記載のインナー付き制服。
【請求項８】
上半身に着用するための制服の裏側に、着脱手段により着脱することができることを特徴とする、制服用インナー。
【請求項９】
前記インナーには、前記制服の裏側に設けられる内ポケットに手を入れることができるように、該内ポケットの位置に合わせて一または複数の開口部が設けられていることを特徴とする、請求項８に記載の制服用インナー。
【請求項１０】
前記インナー表側の前記開口部下部には、ポケットが設けられていることを特徴とする、請求項９に記載の制服用インナー。
【請求項１１】
前記着脱手段は、前記インナーと前記制服との間に入り込んだ物品が該制服から落下しないように、該インナーの下縁部が密着するように該制服に装着されてポケット様の構造を構成できることを特徴とする、請求項８に記載のインナー。
【請求項１２】
前記着脱手段は、インナー側部位および制服側部位とからなっており、ジッパー、ボタンならびにボタン穴、またはマジックテープ（登録商標）等の鈎状構造ならびにこれが係止される構造とを備えてなる帯状接着手段のいずれかであることを特徴とする、請求項８に記載の制服用インナー。
【請求項１３】
前記着脱手段はインナー側部位および制服側部位とからなっているジッパーであり、その着脱を該ジッパーの両端部のいずれからでも行うことができることを特徴とする、請求項８に記載の制服用インナー。
【請求項１４】
上半身に着用するための、学生、生徒、または学童用の制服の裏側に、着脱手段により着脱することができることを特徴とする、請求項８ないし１３のいずれかに記載の制服用インナー。
【発明の詳細な説明】
【技術分野】  本発明はインナー（中間着）付き制服および制服用インナーに関し、特に、学生、生徒等用の制服の着用において、服装の乱れを防止し、かつ防寒対策とすることのできるインナー付き制服および制服用インナーに関する。
【背景技術】  衣服用のインナーは、コートなど外套類におけるような防寒およびその機能の調節、超低湿度、高温液体、銃刀類などの危険からの身体の防護などを目的として、これらの機能を技術的に発揮することのできる素材、織製方法等により構成され、これらの機能の具備が必要とされる衣類に用いられている（特許文献１  特開平１１−１８９９０１号公報「防寒用インナー着」。特許文献２  特開２００１−３０３３４２号公報「超低湿度クリーンルーム用ウェア」。特許文献３  特開平１１−３０２９３９号公報「衣料用インナー」。特許文献４  特許第２８２６５７２号公報「高温液体に対する保護のための衣服」）。したがって、コートなどの外套や防護服など、元来防寒、防護といった技術的な役割を担って製造、提供されている衣類以外の一般的な衣類においては、かかるインナーは用いられていないのが通例である。
さて、学生、生徒らが着用する制服には、男子用としては詰襟学生服、ブレザーなど、また女子用としてはセーラー、イートン、ブレザー、ベストなどのパターンがあり、それぞれ夏服、冬服が用意され、それをもって各季節に合った温度調節対策が基本的にとられてはいる。しかしながら、気温が低下する冬季においては冬服の制服のみによって防寒対策とすることには通常限界があり、着用する学生らはその上にコート等の外套を着用する、あるいは制服の下にセーターなどの防寒用衣類を重ね着する等の手段を講じて、防寒対策を補完しなくてはならないこととなる。
しかし、冬季における学生らのこのような防寒対策が、服装の規律について定める学校における規則（校則）に照らして、ともすれば違反することとなったり、客観的に見て服装の乱れを引き起こすことも少なくなく、ひいてはそれを原因とする規律の乱れ、さらには生活習慣の乱れを引き起こすことにもなりかねない。校則では指定以外の外套着用が禁止されていたり、制服の下の重ね着にも制限が設けられていることも多く、そのために充分な防寒対策をとれない場合には、学生らにとっては酷な状況でもあり、かえって服装の乱れやそれに基づく上記の弊害発生を助長することにもなる。
本発明の課題は、上記従来技術の欠点を除き、学生、生徒等用の制服着用において、服装の乱れを防止し、かつ充分な防寒対策とすることのできる手段を提供することである。
【発明の開示】
本願発明者は上記課題について鋭意検討した結果、学生等用の制服にインナーを設けることによって上記課題を解決できることを見出し、本発明に至った。すなわち、上記課題を解決するための手段として本願で特許請求される発明は、以下のとおりである。
（１）上半身に着用するための制服の裏側に、着脱手段により着脱可能なインナーが設けられていることを特徴とする、インナー付き制服。
（２）前記インナーには、前記制服の裏側に設けられる内ポケットに手を入れることができるように、該内ポケットの位置に合わせて一または複数の開口部が設けられていることを特徴とする、（１）に記載のインナー付制服。
（３）前記インナー表側の前記開口部下部には、ポケットが設けられていることを特徴とする、（２）に記載のインナー付制服。
（４）前記着脱手段は、前記インナーと前記制服との間に入り込んだ物品が該制服から落下しないように、該インナーの下縁部が密着するように該制服に装着されてポケット様の構造を構成できることを特徴とする、（１）に記載のインナー付制服。
（５）前記着脱手段は、インナー側部位および制服側部位とからなっており、ジッパー、ボタンならびにボタン穴、またはマジックテープ（登録商標）等の鈎状構造ならびにこれが係止される構造とを備えてなる帯状接着手段のいずれかであることを特徴とする、（１）ないし（４）のいずれかに記載のインナー付制服。
（６）前記着脱手段はインナー側部位および制服側部位とからなっているジッパーであり、その着脱を該ジッパーの両端部のいずれからでも行うことができることを特徴とする、（１）ないし（４）のいずれかに記載のインナー付制服。
（７）上半身に着用するための制服の裏側に、着脱手段により着脱可能なインナーが設けられており、該制服は、学生、生徒、または学童用の制服であることを特徴とする、（１）ないし（６）のいずれかに記載のインナー付き制服。
（８）上半身に着用するための制服の裏側に、着脱手段により着脱することができることを特徴とする、制服用インナー。
（９）前記インナーには、前記制服の裏側に設けられる内ポケットに手を入れることができるように、該内ポケットの位置に合わせて一または複数の開口部が設けられていることを特徴とする、（８）に記載の制服用インナー。
（１０）前記インナー表側の前記開口部下部には、ポケットが設けられていることを特徴とする、（９）に記載の制服用インナー。
（１１）前記着脱手段は、前記インナーと前記制服との間に入り込んだ物品が該制服から落下しないように、該インナーの下縁部が密着するように該制服に装着されてポケット様の構造を構成できることを特徴とする、（８）に記載のインナー。
（１２）前記着脱手段は、インナー側部位および制服側部位とからなっており、ジッパー、ボタンならびにボタン穴、またはマジックテープ（登録商標）等の鈎状構造ならびにこれが係止される構造とを備えてなる帯状接着手段のいずれかであることを特徴とする、（８）に記載の制服用インナー。
（１３）前記着脱手段はインナー側部位および制服側部位とからなっているジッパーであり、その着脱を該ジッパーの両端部のいずれからでも行うことができることを特徴とする、（８）に記載の制服用インナー。
（１４）上半身に着用するための、学生、生徒、または学童用の制服の裏側に、着脱手段により着脱することができることを特徴とする、（８）ないし（１３）のいずれかに記載の制服用インナー。
本発明において「制服」には、制服として用いることのできる仕様の被服、および制服のようにある一定の形態を有して一定の集団が着用し得る被服をも、広く含むこととする。したがって、各分野における業務用の制服、ジャケット、ジャンパー、スポーツ用等のグラウンドコートやユニフォームなども、本発明の制服に該当する。
【図面の簡単な説明】  図１は、本発明のインナー付き制服の構成を示す説明図である。
図２は、本発明の制服用インナーの構成例（実施例１）を示す正面図である。
図３は、実施例１の制服用インナーの平面図である。
図４は、本発明の制服用インナーの別の構成例（実施例２）を示す正面図である。
図５は、実施例２の制服用インナーの平面図である。
図６は、実施例３の開口部を備えた制服用インナーの平面図である。
以下は、用いた符号の説明である。
１Ｂ…制服の裏、  ３、１３、２３、３３…着脱手段、
５、１５、２５、３５…インナー、  １０…インナー付き制服、
３８…開口部
【発明を実施するための最良の形態】  以下、本発明を図面により詳細に説明するが、本発明はこれらの図面に表されたものに限定されるものではない。
図１は、本発明のインナー付き制服の構成を示す概念図である。図において本インナー付き制服１０は、上半身に着用するための制服の裏側１Ｂに、着脱手段３により着脱可能なインナー５が設けられていることを、主たる構成とする。特に本インナー付き制服１０は、学生、生徒、または学童用の制服として用いることができるが、本発明の用途は、これらのみに限定されるものではない。
前記インナー５は、学生等の制服の下に充分装着できる厚さ範囲にあり、防寒機能を充分に発揮することのできるものであれば、公知のあらゆる材質、織製のものを用いることができる。
図において着脱手段３は、インナー側に設けられた部位（以下、「インナー側部位」という。）およびインナー側部位と対応して制服の裏側に設けられた部位（以下、「制服側部位」という。）とからなり、両部位が結合されることによってインナー５の制服への装着がなされ、両部位が分離されることによってインナー５の制服からの取り外しがなされる。インナー側部位および制服側部位とからなる着脱手段は、ジッパーとすることもできるし、またボタンとボタン穴とすることもできる。また、マジックテープ（登録商標）等の鈎状構造ならびにこれが係止される構造とを備えてなる帯状接着手段を用いることもできる。
つまりジッパーの場合は、インナー５側と制服裏側１Ｂに、これらが対応してインナー５の制服裏側１Ｂへの装着が可能なようにジッパー部材が分かれて設けられ、ジッパー構造が構成される。そして、通常のジッパーの使用方法により使用することができる。またボタンの場合は、たとえばインナー５側にボタン穴が設けられ、制服裏側１Ｂの対応する位置にボタンが設けられる構成をとることができる。そして、通常のボタンの使用方法により使用することができる。またマジックテープ（登録商標）等の場合は、鈎状構造を有するテープ状部材が制服側１Ｂまたはインナー５側のいずれか一方に、ならびにこれが係止される構造を有するテープ状部材が他方に設けられた構成とすることができる。そして、通常のマジックテープ（登録商標）等の使用方法により使用することができる。
該ジッパーは、その両端部のいずれからでも着脱を行うことができるものを用いてもよい。それにより、該制服から該インナーを着脱する際に左右どちらの方向からでも自在に行うことができ、便宜となる。
本発明のインナー付き制服における着脱手段はこれらに限定されず、その他にも適宜の方法を着脱手段として用いることができる。
図１に示す構成をとることにより、本発明のインナー（制服用インナー）５は、制服の裏側１Ｂに、着脱手段３によって取り外し可能に装着することができる。これにより、充分な防寒対策とすることができるとともに、無用の重ね着や外套着用を防止することができ、もって服装の乱れを防ぐことができる。また、春季や秋季のように冬服着用時期ではあるが特別の防寒対策までは必要のない場合は、制服用インナー５を制服から容易に取り外して使用することができる。
すなわち本発明のインナー付き制服１０は、インナー（本発明の制服用インナー）５に対応する着脱手段３の制服側部位を設けた制服と、着脱手段３のインナー側部位を設けたインナー５とから構成される。したがって、既存仕様の制服に、制服用インナーに対応した制服側部位を設け、該制服用インナーと組み合わせるだけで、本発明のインナー付き制服とすることができる。
既存仕様の制服の種類は特に限定されず、男子用の詰襟学生服、ブレザー、女子用のセーラー、イートン、ベスト、ブレザー、その他あらゆる種類の制服に本発明を適用することができる。また、学生、生徒用以外の制服、ユニフォームに対して本発明のインナー付き制服または制服用インナーを用いることも、もちろん可能である。また、学生用の制服に限定されず、各業務分野におけるあらゆる業務用途の各種制服についても適用でき、さらにいえばいわゆる制服風の被服、上述したようなジャケット、ジャンパー、ユニフォーム等の被服に対しても特に限定されず広く適用することができる。
本発明の制服用インナーは、その前部左右を合わせるためのボタンならびにボタン穴、あるいはジッパー等を設けることもできる。かかる構成とすることによって、防寒機能を高めたり、調節することができる。
また、実施例に後述するように、前記制服の裏側に設けられる内ポケットに手を入れることができるように、本発明製服用インナーには該内ポケットの位置に合わせて一または複数の開口部を設けた構成とすることもできる。かかる構成により、該インナーを装着しても、該開口部を通して該制服の内ポケットを問題なく使用することができる。さらにこの場合、該インナー表側の該開口部下部には、補助的にポケット（補助ポケット）を設けた構成とすることもできる。かかる構成により、該開口部を通して該内ポケットに財布等の物品を収納する際に誤って該内ポケット外に物品が落下した場合であっても、これを該補助ポケットにより受け止めて収納することができる。
また、前記着脱手段は、前記インナーと前記制服との間に入り込んだ物品が該制服から落下しないように、該インナーの下縁部が密着するように該制服に装着されてポケット様の構造をとれるように構成することもできる。
【実施例】  以下、本発明を実施例により説明するが、本発明はこれら実施例に限定されるものではない。
【実施例１】  図２は、本発明の制服用インナーの構成例を示す正面図であり、たとえば詰襟学生服用インナーとして用いることができるものである。本例ではインナー１５の着脱手段１３としてジッパーを用いている。
図３は、本例の制服用インナーの構成を示す平面図である。
【実施例２】  図４は本発明の制服用インナーの別の構成例を示す正面図であり、たとえば女子用ベスト用インナーとして用いることができるものである。本例ではインナー２５の着脱手段２３としてボタンを用いており、ボタンはベスト側に、ボタン穴はインナー側に設けられている。
図５は、本例の制服用インナーの構成を示す平面図である。
【実施例３】  図６は本発明の制服用インナーのまた別の構成例を示す正面図であり、たとえば詰襟学生服用インナーとして用いることができるものである。本例ではインナー３５の着脱手段３３としてジッパーを用いている。本例では、制服の内ポケット位置に合わせて開口部３８を設けている。上述の通り、該インナー３５を装着しても、該開口部３８を通して該制服の内ポケットを問題なく使用することができる。なお上述のように、これに加えて、インナー３５表側の該開口部３８下部に、補助的にポケット（補助ポケット）を設けた構成とすることもできる。
【産業上の利用可能性】  本発明のインナー付き制服および制服用インナーは上述のように構成されているため、学生、生徒等用の制服としての着用において、無用な重ね着や外套着用を防止することによって服装の乱れを防止し、かつ充分で着脱による調節可能な防寒対策とすることができる。
【図１】
2004049845.tif 000003
【図２】
2004049845.tif 000004
【図３】
2004049845.tif 000005
【図４】
2004049845.tif 000006
【図５】
2004049845.tif 000007
【図６】
2004049845.tif 000008
【国際調査報告】
2004049845.tif 000009
2004049845.tif 000010
2004049845.tif 000011
2004049845.tif 000012
2004049845.tif 000013
2004049845.tif 000014